(57)【要約】【課題】食事をする場合などに適した理想的な前傾姿勢を容易にとることができ、かつ、被介護者を介護者が少ない労力で安全に離床させることができる介護用座椅子を提供する。【解決手段】本発明の介護用座椅子１０は、座部１と背面部２とを有し、座部１に、背面部２に接続された座部本体４と、設置箇所に載置される基台部５と、被介護者が座る着座部６とが設けられ、座部本体４に対して基台部５および着座部６が、縦軸心７回りに回転自在に配設されている。基台部５に対して座部本体４が回転自在に支持されているだけでなく、座部本体４に対して回転自在な着座部６が設けられているので、介護者などが、介護ベッド上の被介護者に対して、理想的な背上げ姿勢や離床姿勢に少ない力で、かつ安全に姿勢変更できる。【選択図】図２
2008188271.tif 000002
【特許請求の範囲】
【請求項１】
座部と背面部とを有し、
座部に、背面部に接続された座部本体と、設置箇所に載置される基台部と、被介護者が座る着座部とが設けられ、
座部本体に対して基台部および着座部が、縦軸心回りに回転自在に配設されている
ことを特徴とする介護用座椅子。
【請求項２】
着座部と座部本体と基台部との互いの縦軸心周りの回転を規制するロック手段を備えたことを特徴とする請求項１に記載の介護用座椅子。
【請求項３】
背面部に、背面部に略沿った垂直姿勢と、この垂直姿勢より手前側に降ろされた肘掛姿勢とに回動可能な肘掛部が取り付けられたことを特徴とする請求項１または２に記載の介護用座椅子。
【請求項４】
着座部と座部本体と基台部との互いの縦軸心周りの回転を規制するロック手段と、肘掛部を垂直姿勢とした場合にロック手段によるロックを解除し、肘掛部を肘掛姿勢とした場合にロック手段によるロック動作が行われるように連動させる連動機構とを備えたことを特徴とする請求項３に記載の介護用座椅子。
【請求項５】
座部と背面部とにそれぞれ取手部が形成されていることを特徴とする請求項１〜４の何れか１項に記載の介護用座椅子。
【発明の詳細な説明】
【技術分野】
【０００１】
本発明は介護用座椅子に関するものである。
【背景技術】
【０００２】
被介護者を対象とする介護用ベッドとして、被介護者の脚部および腰部を載せる本体ボトムに対して、背部を載せる背部ボトムを、水平姿勢から起立（ギャッジアップ）させたいわゆる背上げ姿勢に屈曲自在に構成したものは、例えば特許文献１等に開示されているように、既に知られている。
【０００３】
【特許文献１】特開平２−６０６０９号公報
【発明の開示】
【発明が解決しようとする課題】
【０００４】
しかしながら、この種の介護用ベッドにおいては、背上げ姿勢にした場合でも、理想的な前傾姿勢よりも屈曲させる傾斜角度が若干小さいものが多い。これは、この種の介護用ベッドにおいて、水平姿勢からそのまま、前記理想的な前傾姿勢まで屈曲させると、被介護者の腹部を圧迫してしまうことが多いため、このような不具合を発生させないように、安全性を考慮していることが一因とも考えられる。また、理想的な前傾姿勢にすべく、食事をする際に、介護用ベッドを背上げ姿勢にした後に、一旦、介護者が被介護者の腰を後方に引くように座り直させることがあるが、この場合には、被介護者の背中が、ベッドの背部ボトムの床材から若干離反するような姿勢となるため、被介護者が安定した座位を維持できずに不安定となり易い。
【０００５】
また、介護者が被介護者をベッドから離床させる際には、介護者が被介護者の腰部および背中を抱かかえて、被介護者の脚部がベッドの側方に向くように身体の向きを変更しなければならないが、被介護者の腰部と背中との両方の向きを変えるには、大きな力を要するだけでなく、介護者も自分の体をねじりながらこれらの作業を行わなければならず、介護者の負担が大きいと同時に、被介護者並びに介護者の両者にとっても、一時的に不安定な姿勢となって危険である課題もあった。
【０００６】
このような理由により、食事を理想的な前傾姿勢でとれなくなったり、離床が困難となったりして、食欲の低下や体力の低下を招いたり、気力の低下を招いたりし、ひいては、寝たきりの状態へと悪化するおそれもあった。
【０００７】
本発明はこのような課題を解決するもので、食事をする場合などに適した理想的な前傾姿勢を容易にとることができ、かつ、被介護者を介護者が少ない労力で安全に離床させることができる介護用座椅子を提供することを目的とする。
【課題を解決するための手段】
【０００８】
上記課題を解決するために、本発明の介護用座椅子は、座部と背面部とを有し、座部に、背面部に接続された座部本体と、設置箇所に載置される基台部と、被介護者が座る着座部とが設けられ、座部本体に対して基台部および着座部が、縦軸心回りに回転自在に配設されていることを特徴とする。
【０００９】
この構成において、被介護者に食事をさせようとする場合などには、被介護者を介護用ベッドに仰向けに寝かせた状態で、被介護者の腰部を介護用ベッドの本体ボトムに敷いたマット部分から少し浮かせて、この間の隙間に介護用座椅子の座部を差し込み、次に、介護用ベッドをギャッジアップして背上げ姿勢にする。そして、この後、被介護者の背中を少し前かがみ姿勢とするとともに、介護用座椅子の背面部を座部本体とともに介護用座椅子の着座部に対して縦軸心回りに回転させて、介護用座椅子の背面部をベッドの背部ボトムのマット部分と被介護者の背面との間に差し入れる。これにより、被介護者を介護用座椅子に沿って座らせることができ、理想の前傾姿勢に維持することが可能となる。また、これらの場合に、介護用座椅子の座部を、介護用ベッドの本体ボトムに敷いたマット部分と被介護者の腰部との間に入れる際でも、被介護者の腰部を少し浮かせるだけでよいので、少ない力で容易に行うことができる。また、介護用座椅子の背面部をベッドの背部ボトムのマット部分と被介護者の背面との間に差し入れる際でも、被介護者を少し前屈みにするだけでよいので、少ない力で容易に行うことができる。
【００１０】
また、介護者が被介護者をベッドから離床させる際には、上記のようにして介護ベッド上で介護用座椅子に座らせるとともに、被介護者の脚部を少し持ち上げた状態で、介護用ベッドに載せた介護用座椅子の基台部に対して、介護用座椅子の座部本体および着座部を被介護者とともに回動させる。これにより、容易かつ極めて安定した姿勢で、被介護者の脚部がベッドの側方に向くように身体の向きを変更することができる。
【００１１】
また、本発明は、着座部と座部本体と基台部との互いの縦軸心周りの回転を規制するロック手段を備えたことを特徴とする。
【００１２】
この構成により、食事を行う際などに、着座部と座部本体と基台部とをロック手段によりロックさせて、互いの縦軸心周りの回転を規制することで、より安定した状態で食事等を行うことができる。
【００１３】
また、本発明は上記構成に加えて、背面部に、背面部に略沿った垂直姿勢と、この垂直姿勢より手前側に降ろされた肘掛姿勢とに回動可能な肘掛部が取り付けられたことを特徴とする。
【００１４】
この構成により、介護用座椅子に座った状態で、肘掛部を垂直姿勢から手前側に降ろして肘掛姿勢にすることで、被介護者の身体が横にずれることを肘掛部により規制することができ、被介護者を安定した状態で着座姿勢に保持することができる。
【００１５】
また、本発明は、前記肘掛部を有する構成に加えて、着座部と座部本体と基台部との互いの縦軸心周りの回転を規制するロック手段と、肘掛部を垂直姿勢とした場合にロック手段によるロックを解除し、肘掛部を肘掛姿勢とした場合にロック手段によるロック動作が行われるように連動させる連動機構とを備えたことを特徴とする。
【００１６】
この構成により、肘掛部を垂直姿勢から手前側に降ろして肘掛姿勢にすると、肘掛部により被介護者の身体が横にずれることが規制されると同時に、ロック手段によるロック動作が行われて、着座部と座部本体と基台部との互いの回転が規制される。これにより、極めて安定した状態で、着座することができる。また、肘掛部の上げ下げにより、ロック手段が連動するので、別途にロック手段を設けた場合のように、個別にロック手段を操作する手間を省くことができる。
【００１７】
また、本発明は上記構成に加えて、座部と背面部とにそれぞれ取手部が形成されていることを特徴とする。
【００１８】
この構成により、介護者が座部と背面部とにそれぞれ形成された取手部を持つことで、介護用座椅子ごと被介護者を搬送することが可能となる。
【発明の効果】
【００１９】
以上のように本発明の介護用座椅子によれば、座部に、背面部に接続された座部本体と、設置箇所に載置される基台部と、被介護者が座る着座部とを設け、座部本体に対して基台部および着座部を、縦軸心回りに回転自在に配設することで、この介護用座椅子を用いて介護用ベッド上での寝姿勢から無理なく安定した理想的な前傾姿勢での座位や離床姿勢がとれる。この結果、自然に食欲促進、腹部・脚部の筋力維持につながり、利用者の健康維持または向上、寝たきり状態からの改善を図ることができる。
【００２０】
また、着座部と座部本体と基台部との互いの縦軸心周りの回転を規制するロック手段を備えることで、被介護者をより安定した状態で着座姿勢や離床姿勢に保持することができる。
【００２１】
また、背面部に、背面部に略沿った垂直姿勢と、この垂直姿勢より手前側に降ろされた肘掛姿勢とに回動可能な肘掛部を取り付けることにより、被介護者の身体が横にずれることを肘掛部により規制することができ、被介護者を一層安定した状態で着座姿勢に保持することができ、さらに安全性が向上する。
【００２２】
また、本発明は、前記肘掛部を有する構成に加えて、着座部と座部本体と基台部との互いの縦軸心周りの回転を規制するロック手段と、肘掛部を垂直姿勢とした場合にロック手段によるロックを解除し、肘掛部を肘掛姿勢とした場合にロック手段によるロック動作が行われるように連動させる連動機構とを備えたことにより、肘掛部を垂直姿勢から手前側に降ろして肘掛姿勢にすると、肘掛部により被介護者の身体が横にずれることが規制されると同時に、着座部と座部本体と基台部との互いの回転が規制されので、極めて安定した状態で、着座することができ、しかも、肘掛部の上げ下げにより、ロック手段が連動するので、別途にロック手段を設けた場合のように、個別にロック手段を操作する手間を省くことができ、便利である。
【００２３】
また、座部と背面部とにそれぞれ取手部を形成することにより、介護者が座部と背面部とにそれぞれ形成された取手部を持って、介護用座椅子ごと被介護者を搬送することが可能となり、車両の座席や階段などへも安定した姿勢で被介護者を搬送することができ、階段の昇降がこれまでよりも容易にできるようになる。また、階段を搬送する途中で、介護用座椅子の座部を階段に置き、態勢を立て直したり、力を入れ直すこともでき、介護負担の軽減になる。
【発明を実施するための最良の形態】
【００２４】
以下、本発明の実施の形態に係る介護用座椅子を図面に基づいて説明する。
【００２５】
図１および図２に示すように、本発明の第１の実施の形態に係る介護用座椅子１０は、被介護者が座るための座部１と、被介護者の背面に当てられる背面部２とを有している。座部１は、屈曲部３を介して背面部２と直角に近い理想的な前傾姿勢をとることができる角度で一体的に固定された状態で背面部２に接続された座部本体４と、介護用ベッド１１（図３等参照）などの設置箇所に載置される基台部５と、被介護者Ａが座る着座部６とから構成されている。そして、座部本体４に対して基台部５と着座部６とが互いに、基台部５の載置面５ａに対して略垂直な縦軸心７回りに回転自在に配設されている。
【００２６】
具体的には、図１および図２に示すように、例えば、着座部６の中心から縦軸心７に沿って上方に段付き形状で延びる回転軸８が一体的に立設され、この回転軸８に、座部本体４に形成された孔部４ａと、着座部６に形成された孔部６ａとが嵌め合わされて、これらの座部本体４と着座部６とがそれぞれ個別に回転自在に外嵌されている。
【００２７】
なお、互いに対向する基台部５の上面と座部本体４の下面との少なくとも一方、または回転軸８とこれに対向する座部本体４の孔部内壁面との間に、フッ素樹脂などの滑り材を貼り付けたり、ベアリング等を介在させたりしてもよく、また同様に、互いに対向する座部本体４の上面と着座部６の下面との少なくとも一方、または回転軸８とこれに対向する着座部６の孔部内壁面との間に、フッ素樹脂などの滑り材を貼り付けたり、ベアリング等を介在させたりすることで、より容易に回転できるように構成してもよい。また、図３に示すように、着座部６の中央部から、座部本体４に設けた孔部４ａを通して、基台部５側に下方に延び、周方向に複数割られた筒状延設部６ｂの下端に弾性を有する爪部６ｃを一体形成して、この爪部６ｃを、基台部５に形成した鍔状凹部５ｂに嵌め込んでもよいが、このような構成に限られるものではない。
【００２８】
上記構成において、被介護者Ａに食事をさせようとする場合などには、図４に示すように、被介護者Ａを介護用ベッド１１に仰向けに寝かせた状態で、介護者により、被介護者Ａの腰部を介護用ベッド１１に敷いたマット１２から少し浮かせて、この間の隙間に介護用座椅子１０の座部１を被介護者Ａの横方向から差し込む。この際、被介護者Ａを少し横向きになってもらってから、介護用座椅子１０の座部１に腰部を載せるようにしてもよい。
【００２９】
次に、図５に示すように、介護用ベッド１１の背部ボトム１１ａをギャッジアップして背上げ姿勢にする。そして、この後、被介護者Ａの背中を少し前かがみ姿勢とするとともに、介護用座椅子１０の背面部２を座部本体４とともに介護用座椅子１０の着座部６および基台部５に対して縦軸心７回りに回転させて、介護用座椅子１０の背面部２を介護用ベッド１１の背部ボトム１１ａのマット１２部分と被介護者Ａの背面との間に差し入れる。これにより、図６に示すように、被介護者Ａを介護用座椅子１０に沿って着座させて、理想の前傾姿勢にすることが可能となる。
【００３０】
また、この場合に、介護用座椅子１０の座部１を、介護用ベッド１１の本体ボトム１１ａに敷いたマット部分と被介護者Ａの腰部との間に入れる際でも、被介護者Ａの腰部を少し浮かせるだけでよいので、少ない力で容易に行うことができる。また、介護用座椅子１０の背面部２を介護用ベッド１１の背部ボトム１１ａのマット部分と被介護者Ａの背面との間に差し入れる際でも、被介護者Ａを少し前屈みにするだけでよいので、少ない力で容易に行うことができる。
【００３１】
また、介護者が被介護者Ａを介護用ベッド１１から離床させる際には、上記のようにして、図６に示すように、介護ベッド１１上で介護用座椅子１０に座らせるとともに、被介護者Ａの脚部を少し持ち上げた状態で、介護用ベッド１１に載せた介護用座椅子１０の基台部５に対して、介護用座椅子１０の座部本体４および着座部６を被介護者Ａとともに縦軸心７回りに回動させる。これにより、容易かつ極めて安定した姿勢で、被介護者Ａの脚部が介護用ベッド１１の側方に向くように身体全体の向きを変更することができ、この姿勢からの離床を容易に行うことができる。
【００３２】
したがって、上記構成によれば、この介護用座椅子１０を用いることで介護用ベッド１１上での寝姿勢から無理なく安定した理想的な前傾姿勢での座位がとれ、この前傾姿勢での座位を保持できることで、自然に食欲促進、腹部・脚部の筋力維持につながり、利用者の健康維持または向上、寝たきり状態からの改善を図ることができる。また、前傾姿勢での座位から、離床姿勢への身体全体の向きの変更を、容易かつ極めて安定した姿勢で行うことができ、介護者の負担を軽減することができると同時に、安全性を向上させることができる。
【００３３】
なお、上記構成に加えて、基台部５に対する座部本体４の回転を規制するロック手段を設けたり、座部本体４に対する着座部６の回転を規制するロック手段を設けたりしてもよい。
【００３４】
例えば、図８に示すように、先端にくさび状部１３ａ，１４ａを有するスライドレバー１３、１４を、座部本体４の側部外周から縦軸心７側に向けて（すなわち、基台部５や着座部６の半径方向中心側に向けて）出退自在に設け、スライドレバー１３（またはスライドレバー１４）を押込むことにより、くさび状部１３ａ（またはくさび状部１４ａ）が基台部５（または着座部６）に接触するとともに押圧されて、座部本体４に対する基台部５（または着座部６）の回転方向への位置が規制されて固定される一方、スライドレバー１３（またはスライドレバー１４）を引き出すことにより、くさび状部１３ａ（またはくさび状部１４ａ）が基台部５（または着座部６）から離反して、座部本体４に対する基台部５（または着座部６）の回転が自由に行えるように構成してもよい。
【００３５】
また、これに代えて、例えば、着座部６の外周寄りの部分にロック用の孔部６ｄを適当箇所形成し（１箇所でもよいし、適当角度毎、例えば、縦軸心７を中心として９０度毎に４箇所設けてもよく、さらにはこれ以上設けてもよい）、これに対して、座部本体４および基台部５には多数（例えば、縦軸心７を中心として２〜３度毎に１８０〜１２０箇所）の孔部４ｃ、５ｃを設ける。そして、基台部５と座部本体４と着座部６とが互いに固定したい位置となった状態で、着座部６の孔部６ｄからロック用ピン１５を下方に向けて挿入させて、このロック用ピン１５を座部本体４および基台部５の孔部４ｃ、５ｃに嵌合させることで、互いが回転できないように位置規制することができる。
【００３６】
このようなロック手段を設けた場合には、図６に示すように理想の前傾姿勢となって食事をするときや、図７に示すように離床姿勢を維持したいときなどは固定（ロック）状態として、着座部６の位置を固定させ、これ以外の時には、固定手段のロックを解除するとよい。
【００３７】
この構成により、食事を行う際などに、着座部６と座部本体４と基台部５とをロック手段によりロックさせて、互いの縦軸心７回りの回転を規制することで、より安定した状態で食事等を行ったり、離床姿勢を安定して保持したりすることができる。
【００３８】
次に、図１０〜図１２は本発明の第２の実施の形態に係る介護用回転座椅子２０を示すものである。なお、上記第１の実施の形態に係る介護用回転座椅子１０と同機能の構成要素には同符号を付して、その説明は省略する。
【００３９】
図１０に示すように、この実施の形態の介護用回転座椅子２０では、上記第１の実施の形態に係る介護用座椅子１０の構成要素に加えて、背面部２に、左右方向に延びる横軸心２１を中心に回動自在とされて、仮想線で示すように、背面部２に略沿った垂直姿勢と、実線で示すように、前記垂直姿勢より手前側に降ろされた肘掛姿勢とに回動可能な肘掛部２２が取り付けられている。
【００４０】
この構成において、被介護者Ａに食事をさせようとする場合などには、図１１において仮想線で示すように、肘掛部２２を背面部２に略沿った垂直姿勢とした状態で、介護用座椅子１０の座部１を、被介護者Ａの腰部と介護用ベッド１１のマット１２との間の隙間に差し込み、その後、介護用ベッド１１の背部ボトム１１ａをギャッジアップして背上げ姿勢とし、被介護者Ａの背中を少し前かがみ姿勢とするとともに、介護用座椅子１０の背面部２を座部本体４とともに介護用座椅子１０の着座部６および基台部５に対して縦軸心７回りに回転させて、介護用座椅子１０の背面部２を介護用ベッド１１のマット１２部分と被介護者Ａの背面との間に差し入れる。
【００４１】
そして、この後に、肘掛部２２を手前側に降ろして肘掛姿勢とする。これにより、被介護者Ａが肘掛部２２に肘を載せることができるだけでなく、被介護者Ａの身体が横にずれることを肘掛部２２により規制することができ、被介護者Ａを一層安定した状態で着座姿勢に保持することができる。
【００４２】
また、被介護者Ａを介護用ベッド１１から離床させる際に、介護用ベッド１１に載せた介護用座椅子１０の基台部５に対して、介護用座椅子１０の座部本体４および着座部６を被介護者Ａとともに縦軸心７回りに回動させる際でも、身体が横にずれて左右に傾くことを肘掛部２２により防止することができるので、極めて安定した姿勢で身体全体の向きを変更することができ、この姿勢からの離床を安定して行うことができる。
【００４３】
また、介護用ベッド１１上での座位の際に、肘掛部２２により被介護者Ａの腕部の挙上を補助することができるので、食事動作を容易にし、自力での食事により、食欲増進または腕部の筋力保持につなげることができる。
【００４４】
また、さらに、上記構成に加えて、図１３に示すように、座部１と背面部２とにそれぞれ取手部２５を形成してもよい。例えば、図１３においては、座部本体４における前端部と、背面部２における上端部とにそれぞれ取手部２５を形成しているが、これに限るものではなく、座部本体４の両側部などに設けてもよい。
【００４５】
この構成によれば、離床させる際と同様な姿勢で介護用座椅子２０に被介護者Ａを載せた姿勢のままで、介護者が取手部２５を持つことができ、この姿勢で介護用座椅子２０ごと被介護者Ａを搬送することが可能となる。なお、複数人の介護者で、それぞれ取手部２５を持って搬送することも可能である。
【００４６】
また、介護用座椅子２０の座部１を、車椅子など移動先の座面と同じ高さにすることで、横にずらすだけで移乗することができる。
これにより、従来においては、離床させて、他のベッドや車椅子、または車両への移乗する際に、介護者の負担または被介護者Ａの転倒・腕部の脱臼などの危険があったが、このような危険な状態となることを大きく軽減することができる。
【００４７】
また、被介護者Ａを介護用座椅子２０に載せた状態のままで、車両の座席などに安定して載せることができるとともに、肘掛部２２により被介護者Ａの姿勢が横にずれることが防止されるので、車両の走行中でも安定した姿勢を維持することができる。
【００４８】
さらに、階段などでも安定した姿勢で被介護者Ａを搬送することができ、階段の昇降がこれまでよりも容易にできるようになる。つまり、従来においては、被介護者Ａを階段を通って搬送しようとすると、別途に専用の昇降機を取り付けたり、力のある者が、車椅子ごと背負って上げ下げしたり、抱きかかえて階段を上り下りするなどして、昇降機を取り付ける場合には極めて多額の設備費が必要であり、また、車椅子ごと、また、抱きかかえて階段を上り下りするなどの場合には、極めて大きな体力がいるとともに、階段の上り下りに危険を伴うものであり、そのために外出できなくなることもあった。これに対して、本発明によれば、多額の設備費を要することがなく、また、被介護者Ａは肘掛部２２があることで安心が得られ、介護者１人もしくは何人かは持ち上げ安い姿勢を保ち、力を合わせて運ぶことができる。また、階段を搬送する途中で、介護用座椅子２０の座部１を階段に置き、態勢を立て直したり、力を入れ直すこともでき、介護負担の軽減になる。
【００４９】
また、上記の図１０〜図１２に示すように、垂直姿勢と肘掛姿勢とに回動可能な肘掛部２２を取り付けた構成に加えて、例えば図８に示すようなロック手段を設けて、図１４、図１５に示すように、肘掛部２２の回動動作にロック手段のロック動作を連動させてもよい。
【００５０】
例えば、左右の肘掛部２２を横方向に延びる回動軸２６でつなぐとともに、この一部に凸形状に屈曲するクランク部２７を形成し、このクランク部２７に、先端にくさび状部１３ａ，１４ａを有するスライドレバー１３、１４の他端を連結する。そして、肘掛部２２を背面部２に略沿った垂直姿勢とした場合には、スライドレバー１３、１４のくさび状部１３ａ，１４ａが、座部本体４と基台部５との間や、座部本体４と着座部６との間から離脱したロック解除姿勢となって、基台部５と座部本体４と着座部６とが自由に回動できる状態となる一方、肘掛部２２を手前側に降ろした肘掛姿勢とした場合には、スライドレバー１３、１４のくさび状部１３ａ，１４ａが、座部本体４と基台部５との間や、座部本体４と着座部６との間に入り込んで互いの回動を規制するロック状態となるよう構成する。なお、図示しないが、スライドレバー１３、１４は、背面部２内と座部本体４内とに設けられたガイド通路内を案内されながら、クランク部２７に連結された他端の位置変動がくさび状部１３ａ，１４ａに伝達されるよう構成する。
【００５１】
この構成により、肘掛部２２を垂直姿勢から手前側に降ろして肘掛姿勢にすると、肘掛部２２により被介護者Ａの身体が横にずれることが規制されると同時に、スライドレバー１３、１４によるロック動作が行われて、着座部６と座部本体４と基台部５との互いの回転が規制され、着座位置がずれることも防止される。これにより、被介護者Ａが極めて安定した状態で着座することができ、安全である。また、肘掛部２２の上げ下げにより、スライドレバー１３、１４が連動するので、肘掛部２２に連動させること無く個別にスライドレバー１３、１４を設けた場合のように、肘掛部２２の上げ下げとは別個に個別にスライドレバー１３、１４などのロック手段を操作する手間を省くことができ、便利である。
【００５２】
なお、ロック手段や連動機構などは上記構造に限るものではなく、肘掛部２２を垂直姿勢とした場合にロック手段によるロックが解除され、肘掛部２２を肘掛姿勢とした場合にロック手段によるロック動作が行われるように構成できれば、どのような構造でもよい。
【図面の簡単な説明】
【００５３】
【図１】本発明の第１の実施の形態に係る介護用座椅子の斜視図である。
【図２】同介護用座椅子の側面断面図である。
【図３】同介護用座椅子の変形例の要部拡大側面断面図である。
【図４】同介護用座椅子の座部を被介護者の腰部と介護用ベッドとの間に差し入れた状態を示す斜視図である。
【図５】図４に示す状態から介護用ベッドをギャッジアップした状態を示す斜視図である。
【図６】同介護用座椅子を用いて介護用ベッド上で理想的な前傾姿勢とした状態を示す斜視図である。
【図７】同介護用座椅子を用いて離床姿勢とした状態を示す斜視図である。
【図８】同介護用座椅子のロック手段の１例を示す要部拡大断面図である。
【図９】同介護用座椅子のロック手段の他の例を示す要部拡大断面図である。
【図１０】本発明の第２の実施の形態に係る介護用座椅子の斜視図である。
【図１１】同介護用座椅子の座部を被介護者の腰部と介護用ベッドとの間に差し入れた状態を示す斜視図である。
【図１２】同介護用座椅子を用いて介護用ベッド上で理想的な前傾姿勢とした状態を示す斜視図である。
【図１３】本発明の第３の実施の形態に係る介護用座椅子の斜視図である。
【図１４】本発明の第４の実施の形態に係る介護用座椅子の斜視図で、肘掛部が垂直姿勢である場合を示す。
【符号の説明】
【００５４】
１      座部
２      背面部
３      屈曲部
４      座部本体
５      基台部
６      着座部
７      縦軸心
８      回転軸
１０、２０    介護用座椅子
１１    介護用ベッド
１２    マット
１３、１４    スライドレバー（ロック手段）
１５      ロック用ピン（ロック手段）
２２    肘掛部
２５    取手部
２６    回動軸（連動機構）
Ａ      被介護者
【図１】
2008188271.tif 000003
【図２】
2008188271.tif 000004
【図３】
2008188271.tif 000005
【図４】
2008188271.tif 000006
【図５】
2008188271.tif 000007
【図６】
2008188271.tif 000008
【図７】
2008188271.tif 000009
【図８】
2008188271.tif 000010
【図９】
2008188271.tif 000011
【図１０】
2008188271.tif 000012
【図１１】
2008188271.tif 000013
【図１２】
2008188271.tif 000014
【図１３】
2008188271.tif 000015
【図１４】
2008188271.tif 000016